(57)【要約】【課題】利得およびオフセット補償電圧最適化に必要な長さのプリアンブルを光信号に付与する必要がありスループットが低下する。【解決手段】データ受信に先立って受信される送信許可要求フレームの光信号強度の測定結果に基づき、以降に行われるデータ受信に適応した受信設定を行う。また、データ送信に先立って送信する送信許可要求フレームには、光信号強度の測定に必要十分な長さを有するプリアンブルを付して送信し、以降のデータ送信に用いるフレームには短いプリアンブルを付して送信する。あるいは、データ受信に先立って受信される試験フレームの光信号強度の測定結果に基づき、送信元の識別情報毎にデータ受信に適応した受信設定のパラメータを記録したテーブルを作成する。光信号が到来したときには、その光信号の送信元の識別情報に従ってテーブルを検索し、当該光信号の受信に適応する受信設定を行う。【選択図】図１
2008294531.tif 000002
【特許請求の範囲】
【請求項１】
複数の送信元からそれぞれ到来する強度の異なる複数の光信号を受信する光受信装置において、
データ受信に先立って受信される送信許可要求フレームの光信号強度の測定結果に基づき、以降に行われるデータ受信に適応した受信設定を行う手段を備えた
ことを特徴とする光受信装置。
【請求項２】
請求項１記載の光受信装置に対して光信号を送信する光送信装置において、
データ送信に先立って送信する送信許可要求フレームには、前記光受信装置における光信号強度の測定に必要十分な長さを有するプリアンブルを付して送信し、以降のデータ送信に用いるフレームには前記プリアンブルと比べて短いプリアンブルを付して送信する手段を備えた
ことを特徴とする光送信装置。
【請求項３】
１つの請求項１記載の光受信装置に、複数の請求項２記載の光送信装置が光伝送路を介して接続された光アクセスシステム。
【請求項４】
複数の送信元からそれぞれ到来する強度の異なる複数の光信号を受信する光受信装置において、
データ受信に先立って受信される試験フレームの光信号強度の測定結果に基づき、前記送信元の識別情報毎にデータ受信に適応した受信設定のパラメータを記録したテーブルを作成する手段と、
光信号が到来したときには、その光信号の送信元の識別情報に従って前記テーブルを検索し、当該光信号の受信に適応する受信設定を行う手段と
を備えたことを特徴とする光受信装置。
【請求項５】
請求項４記載の光受信装置に対して光信号を送信する光送信装置において、
データ送信に先立って、前記光受信装置における光信号強度の測定に必要十分な長さを有するプリアンブルを付した試験フレームを送信する手段と、
データ送信に用いるフレームには前記プリアンブルと比べて短いプリアンブルを付して送信する手段と
を備えたことを特徴とする光送信装置。
【請求項６】
１つの請求項４記載の光受信装置に、複数の請求項５記載の光送信装置が光伝送路を介して接続された光アクセスシステム。
【発明の詳細な説明】
【技術分野】
【０００１】
本発明は、複数の光送信装置からの光信号を１つの光受信装置で受信する光通信システムに利用する。特に、ＰＯＮ(Passive Optical Network)などの光アクセスシステムに関する。
【背景技術】
【０００２】
光アクセスシステムとして、ＰＯＮが広く用いられている。図８に一般的なＰＯＮの構成を示す。ＰＯＮは通信事業者の局舎に設置されるＯＬＴ(Optical Line Terminator)１と、局舎からの光信号を一括して伝送する光ファイバ２と、ＯＬＴからの光信号を分岐する光スプリッタ３と、光スプリッタ３で分岐された光信号を各ユーザに個別に伝送する複数の光ファイバ４−１〜４−ｎと、ユーザの宅内あるいは構内に設置される複数のＯＮＵ(OpticalNetwork Unit)５−１〜５−ｎから構成される。
【０００３】
通常、光スプリッタから各ユーザまでの距離は異なるので、光損失もまた異なる。ここで、ＯＬＴからＯＮＵへの下り信号の強度はＯＮＵ毎に異なるものの、時間的にはほぼ一定なので、ＯＮＵの光受信回路の利得などは最初に設定しておけばよい。一方、ＯＮＵからＯＬＴへの上り信号の強度はＯＮＵ毎に異なるので、ＯＬＴの光受信回路の利得は逐次設定し直す必要がある。
【０００４】
特許文献１に従って、ＰＯＮにおけるＯＬＴの光受信回路について説明する。図９にＰＯＮにおけるＯＬＴの光受信回路の構成を示す。光信号は受光素子（ＰＤ：Photo Detector）１０１で電流信号に変換され、プリアンプ（ＴＩＡ：Trans Impedance Amplifier）１０２で電圧信号に変換される。
【０００５】
光信号の強弱に関わらず適切な電圧振幅が得られるように、レベル検出回路１０３はプリアンプ１０２の出力信号レベルを検出し、利得切替回路（ＡＧＣ：Automatic Gain Control）１０４でプリアンプの利得（帰還抵抗）を切替える。プリアンプの出力信号はリミッタアンプ（ＬＩＭ：LimitingAmplifier）１０５で適切な振幅レベルに増幅される。
【０００６】
レベル検出回路１０６はリミッタアンプ１０５の入力信号レベルを検出し、信号振幅に応じてオフセット補償回路（ＡＯＣ：Automatic Offset Compensation）１０７で適切なオフセット補償電圧を発生させる。
【０００７】
クロック・データ・リカバリ回路（ＣＤＲ：Clock and DataRecovery）１０８はリミッタアンプ１０５の出力信号からクロックとデータとを復元して出力する。
【０００８】
次に、非特許文献１に従って、ＧＥ−ＰＯＮ(Gigabit Ethernet（登録商標）-PON)における上りデータ送信手順について説明する。上りデータ送信の前に、ＯＮＵは送信バッファをモニタし、ＯＮＵの識別情報（ＬＬＩＤ：LogicalLink Identifier）と蓄積データ量とを書き込んだ送信許可要求フレーム（ＲＥＰＯＲＴ）をＯＬＴに送信する。送信許可要求フレームを受信したＯＬＴは帯域割当てアルゴリズムに従って送信開始時刻および送信継続時間を書き込んだ送信許可フレーム（ＧＡＴＥ）をＯＮＵに送信する。送信許可フレームを受信したＯＮＵは上りデータ送信を開始する。
【０００９】
【特許文献１】特開２００７−５９６８号公報
【非特許文献１】Ｇｉｇａｂｉｔ  Ｅｔｈｅｒｎｅｔ−ＰＯＮ（ＧＥ−ＰＯＮ）システムの開発、ＮＴＴ技術ジャーナル、Ｖｏｌ．１７、Ｎｏ．３、ｐｐ．７５−８０、２００５年３月
【発明の開示】
【発明が解決しようとする課題】
【００１０】
従来技術では、最適な電圧レベルになるようにプリアンプの利得（帰還抵抗）を切替えつつ最適な利得を決定するので、利得およびオフセット補償電圧最適化に必要な長さのプリアンブルを光信号に付与する必要がある。このプリアンブルのためにスループットが下がってしまう。
【００１１】
本発明は、このような背景の下に行われたものであって、上り信号のプリアンブルを短くすることによりスループットを改善することができる光受信装置および光送信装置ならびに光アクセスシステムを提供することを目的とする。
【課題を解決するための手段】
【００１２】
本発明は、複数の送信元からそれぞれ到来する強度の異なる複数の光信号を受信する光受信装置において、データ受信に先立って受信される送信許可要求フレームの光信号強度の測定結果に基づき、以降に行われるデータ受信に適応した受信設定を行う手段を備えたことを特徴とする。
【００１３】
また、本発明は、本発明の光受信装置に対して光信号を送信する光送信装置において、データ送信に先立って送信する送信許可要求フレームには、前記光受信装置における光信号強度の測定に必要十分な長さを有するプリアンブルを付して送信し、以降のデータ送信に用いるフレームには前記プリアンブルと比べて短いプリアンブルを付して送信する手段を備えたことを特徴とする。
【００１４】
これによれば、光受信装置がデータ受信を行う以前に受信設定が完了しているので、データ送受信に用いるフレームのプリアンブルを受信設定のために利用する必要がないため、従来と比較して短くすることができる。これによりスループットを改善することができる。
【００１５】
あるいは、本発明は、複数の送信元からそれぞれ到来する強度の異なる複数の光信号を受信する光受信装置において、データ受信に先立って受信される試験フレームの光信号強度の測定結果に基づき、前記送信元の識別情報毎にデータ受信に適応した受信設定のパラメータを記録したテーブルを作成する手段と、光信号が到来したときには、その光信号の送信元の識別情報に従って前記テーブルを検索し、当該光信号の受信に適応する受信設定を行う手段とを備えたことを特徴とする。
【００１６】
また、本発明は、本発明の光受信装置に対して光信号を送信する光送信装置において、データ送信に先立って、前記光受信装置における光信号強度の測定に必要十分な長さを有するプリアンブルを付した試験フレームを送信する手段と、データ送信に用いるフレームには前記プリアンブルと比べて短いプリアンブルを付して送信する手段とを備えたことを特徴とする。
【００１７】
これによれば、データ受信の有無に関わらず予め受信設定を行うためのテーブルを作成しておくので、データ送受信を速やかに開始することができる。例えば、前者では、データ送受信に先立って送受信される送信許可要求フレームを用いて受信設定を行ったが後者ではその必要もないため、送信許可要求フレームおよび送信許可フレームの送受信は、データ送受信よりも高速な別のメディアを使って行うことも可能となる。このようにすればデータ送受信を速やかに開始することができる。
【００１８】
また、本発明を他の観点から観ると、本発明は、１つの本発明の光受信装置に、複数の本発明の光送信装置が光伝送路を介して接続された光アクセスシステムであり、例えば、ＰＯＮに適用することができる。
【発明の効果】
【００１９】
本発明によれば、データ送受信を開始する前に、予め受信設定を行っておくことにより、データ送受信に用いるフレームのプリアンブルを従来と比べて短くすることができるため、スループットが改善される。
【発明を実施するための最良の形態】
【００２０】
（第一実施例）
第一実施例の光アクセスシステムを図１ないし図４を参照して説明する。図１は第一実施例のＯＬＴの光受信装置の構成図である。図２は第一実施例のＯＮＵの光送信装置の構成図である。図３は第一実施例のＯＬＴの光受信回路の構成図である。図４は第一実施例における上りデータ送信の手順を示す図である。
【００２１】
第一実施例では、ＯＮＵとＯＬＴとの間の制御チャネルとして波長λ１の光信号を使用し、データチャネルとしてその他の波長λ２〜λｍの光信号を使用する。波長毎の損失や感度のばらつきは十分小さいものと仮定する。
【００２２】
第一実施例の光受信装置は、図１に示すように、データ受信に先立って受信される送信許可要求フレームの光信号強度の測定結果に基づき、以降に行われるデータ受信に適応した受信設定を行う受信設定調整部１２−１を備えたことを特徴とする。
【００２３】
送信許可要求フレームの光信号強度の測定は、制御チャネルであるλ１の光信号を受信する光受信回路１１０−１の図３に示すレベル検出回路１０３および１０６によって行われ、利得切替回路１０４およびオフセット補償回路１０７は、それぞれ測定した光信号強度に適応した受信設定を行う。
【００２４】
この受信設定のパラメータは受信制御部用インタフェース１１３を介して受信制御部１１２−１の受信設定パラメータ収集部１１が収集して受信設定調整部１２−１に伝達される。
【００２５】
受信設定調整部１２−１は受信設定パラメータ収集部１１から伝達された受信設定パラメータに基づき光受信回路１１０−２〜１１０−ｍの利得切替回路１０４およびオフセット補償回路１０７の受信設定を行う。
【００２６】
また、第一実施例の光送信装置は、図２に示すように、送信制御部５０４−１に、データ送信に先立って送信する送信許可要求フレームには、図３に示す光受信装置のレベル検出回路１０３および１０６における光信号強度の測定に必要十分な長さを有するプリアンブルを付して送信し、以降のデータ送信に用いるフレームには前記プリアンブルと比べて短いプリアンブルを付して送信するプリアンブル長調整部１０−１を備えたことを特徴とする。
【００２７】
第一実施例は、図１に示す１つの光受信装置に、複数の図２に示す光送信装置が光伝送路を介して接続された光アクセスシステムである。
【００２８】
以下では、第一実施例をさらに詳細に説明する。
【００２９】
図２に示すＯＮＵの光送信装置の逆多重化回路（ＩＭＵＸ：InverseMultiplexer）５０１は送信データを複数レーンに逆多重化する機能を有する（送信データが少ないときは逆多重化を行わず単一レーンを使用する）。光送信回路５０２−２〜５０２−ｍ（波長：λ２〜λｍ）は逆多重化回路５０１からの送信データにプリアンブルを付与して光信号に変換する。光合波器５０３は各光送信回路５０２−１〜５０２−ｍからの光信号を波長多重する。送信制御部５０４は逆多重化回路５０１の送信バッファ（図示省略）に蓄積された送信データ量をモニタしてＯＬＴに送信許可要求を行う。ここで、ＯＬＴとの制御チャネル用には光送信回路５０２−１（波長：λ１）を用いる。また、逆多重化回路５０１からの送信レーンの設定を行う。
【００３０】
図１に示すＯＬＴの光受信装置の光分波器１０９は波長多重された光信号を波長毎に分離する。各光受信回路１１０−２〜１１０−ｍは光信号を受信してレーン毎のデータを復元する。多重化回路（ＭＵＸ：Multiplexer）１１１は各レーンの信号を並べ替えて元の送信データを復元して受信データとして出力する。受信制御部１１２−１はＯＮＵからの送信許可要求を受信する。ここで、ＯＮＵとの制御チャネル用には光受信回路１１０−１を用いる。また、受信制御部１１２−１の受信設定調整部１２−１は、光受信回路毎のプリアンプ１０２の利得およびリミッタアンプ１０５のオフセット補償電圧の設定を行う。また、受信制御部１１２−１は、多重化回路１１１の受信レーンの設定を行う機能も有する（従来機能については図示を省略した）。
【００３１】
ＯＬＴの光受信回路１１０−１〜１１０−ｍの構成を図３に示す。光信号は受光素子１０１で電流信号に変換され、プリアンプ１０２で電圧信号に変換される。プリアンプの出力信号はリミッタアンプ１０５で適切な振幅レベルに増幅される。クロック・データ・リカバリ回路１０８はリミッタアンプの出力信号からクロックとデータとを復元して出力する。受信制御部用インタフェース１１３は受信制御部１１２−１と通信を行う。
【００３２】
受信制御部１１２−１の受信設定調整部１２−１はプリアンプ１０２の利得およびリミッタアンプ１０５のオフセット補償電圧を設定するが、一連のデータ受信が終ると設定がリセットされる。
【００３３】
その後、再び、送信許可要求フレームを受信すると、そのプリアンブルを用いてレベル検出回路１０３で電圧変換された信号レベルを検出し、それに応じて利得切替回路１０４でプリアンプ１０２の利得を切替える。また、レベル検出回路１０６で増幅前の信号レベルを検出し、それに応じてオフセット補償回路１０７で適切なオフセット補償電圧を発生させる。
【００３４】
それらの受信設定パラメータは受信制御部用インタフェース１１３を介して受信制御部１１２−１の受信設定パラメータ収集部１１が収集して受信設定調整部１２−１に伝達する。
【００３５】
上りデータ送信手順を図６に基づいて説明する。
Ｓ１．ＯＮＵの送信制御部５０４−１は逆多重化回路５０１の送信バッファをモニタし、ＯＮＵの識別情報と蓄積データ量とを書き込んだ送信許可要求フレームをＯＬＴに送信する。制御チャネル用の光送信回路５０２−１は、送信許可要求フレームに通常の長さのプリアンブルを付して送信する。
Ｓ２．ＯＬＴの受信制御部１１２−１は送信許可要求フレームを受信する。制御チャネル用の光受信回路１１０−１は従来のＰＯＮと同様に利得とオフセット補償電圧最適化を行う。
Ｓ３．ＯＬＴの受信制御部１１２−１は送信許可要求フレームに書き込まれたＯＮＵの蓄積データ量と他のＯＮＵの波長使用状況とに基づき、帯域割当アルゴリズムを用いてＯＮＵに波長および送信開始時刻および送信継続時間を割当てる。
Ｓ４．ＯＬＴの受信制御部１１２−１は制御チャネル用の光受信回路１１０−１のプリアンプ１０２の利得およびリミッタアンプ１０５のオフセット補償電圧をコピーして、割当てられた光受信回路１１０−２〜１１０−ｍのプリアンプ１０２の利得およびリミッタアンプ１０５のオフセット補償電圧とを設定する。
【００３６】
利得のコピーとは、例えば、利得を４段階にして、それぞれ２ビットで
００  利得  極小
０１  利得    小
１０  利得    中
１１  利得    大
と設定するとした場合に、この設定の２ビットをコピーすることである。オフセット補償電圧も同様である。
Ｓ５．ＯＬＴの受信制御部１１２−１は割当てた波長および送信開始時刻および送信継続時間を書き込んだ送信許可フレームを送信する。
Ｓ６．ＯＮＵの送信制御部５０４−１は送信許可フレームを受信する。
Ｓ７．ＯＮＵの送信制御部５０４−１は割当てられた波長に従って逆多重化回路５０１の送信レーンの設定を行い、上りデータ送信を開始する。データチャネル用光送信回路５０２−２〜５０２−ｍはデータフレームにショートプリアンブルを付して送信する。
【００３７】
利得およびオフセット補償電圧最適化に必要な長さのプリアンブルが「通常の長さのプリアンブル」であるのに対し、利得およびオフセット補償電圧を予め設定しておいて純粋にＣＤＲの同期確立だけに必要な長さのプリアンブルを「ショートプリアンブル」とする。
【００３８】
（第二実施例）
第二実施例を図５ないし図７を参照して説明する。図５は第二実施例のＯＬＴの光受信装置の構成図である。図６は第二実施例のＯＮＵの光送信装置の構成図である。図７は第二実施例における上りデータ送信の手順を示す図である。
【００３９】
第二実施例の光受信装置は、図５に示すように、データ受信に先立って受信される試験フレームの光信号強度の測定結果に基づき、前記送信元の識別情報毎にデータ受信に適応した受信設定のパラメータを記録したテーブル１５を作成するテーブル作成部１４と、光信号が到来したときには、その光信号の送信元の識別情報に従ってテーブル１５を検索し、当該光信号の受信に適応する受信設定を行う受信設定調整部１２−２とを備えたことを特徴とする。
【００４０】
また、第二実施例の光送信装置は、図６に示すように、データ送信に先立って、光受信装置における光信号強度の測定に必要十分な長さを有するプリアンブルを付した試験フレームを送信する試験フレーム送出制御部１３と、データ送信に用いるフレームには前記プリアンブルと比べて短いプリアンブルを付して送信するプリアンブル長調整部１０−２とを備えたことを特徴とする。
【００４１】
第二実施例は、１つの図５に示す光受信装置に、複数の図６に示す光送信装置が光伝送路を介して接続された光アクセスシステムである。
【００４２】
以下では、第二実施例をさらに詳細に説明する。
【００４３】
第二実施例では、ＯＮＵとＯＬＴとの間の制御チャネルとして別メディア（高速ディジタル専用線、ＩＳＤＮ、イーサネットなど）を使用する。すなわち、図５における制御チャネル用インタフェース１１４と図６における制御チャネル用インタフェース５０５との間に当該別のメディアが使用される。
【００４４】
図６に示すＯＮＵの光送信装置の逆多重化回路５０１は送信データを複数レーンに逆多重化する機能を有する（送信データが少ないときは逆多重化を行わずに単一レーンを使用する）。光送信回路５０２−１〜５０２−ｍ（波長：λ１〜λｍ）は逆多重化回路からの送信データにプリアンブルを付与して光信号に変換する。
【００４５】
光合波器５０３は各光送信回路５０２−１〜５０２−ｍからの光信号を波長多重する。送信制御部５０４は逆多重化回路５０１の送信バッファ（図示省略）に蓄積された送信データ量をモニタしてＯＬＥに送信許可要求を行う。ここで、ＯＬＴとの制御チャネル用には制御チャネル用インタフェース５０５を用いる。また、光送信回路５０２−１〜５０２−ｍ毎のプリアンブル長の設定や、逆多重化回路５０１の送信レーンの設定を行う。
【００４６】
図５に示すＯＬＴの光受信装置の光分波器１０９は波長多重された光信号を波長毎に分離する。各光受信回路１１０−２〜１１０−ｍは光信号を受信してレーン毎のデータを復元する。多重化回路１１１は各レーンの信号を並べ替えて元の送信データを復元して受信データとして出力する。受信制御部１１２はＯＮＵからの送信許可要求フレームを受信する。
【００４７】
ここで、ＯＮＵとの制御チャネル用には制御チャネル用インタフェース１１４を用いる。また、光受信回路１１０−１〜１１０−ｍ毎のプリアンプ１０２の利得およびリミッタアンプ１０５のオフセット補償電圧や、多重化回路１１１の受信レーンの設定を行う。プリアンプ１０２の利得およびリミッタアンプ１０５のオフセット補償電圧は、テーブル１５から読み出す。
【００４８】
上りデータ送信手順を図７に基づいて説明する。上りデータ送信に先立って、予備作業としてテーブル１５への登録が必要である。
（ａ）ＯＮＵの送信制御部５０４−２の試験フレーム送出制御部１３はいずれか（少なくとも１つ）の光送信回路５０２−ｋ（ｋは１〜ｍのいずれか）を標準のプリアンブルに設定して試験フレームを送信する。図６の例ではλ１により試験フレームを送信している。
（ｂ）ＯＬＴの受信制御部１１２−２のテーブル作成部１４は光受信回路１１０−１〜１１０−ｍをリセットして試験フレームを受信する。図５の例ではλ１により試験フレームを受信している。
（ｃ）ＯＬＴの受信制御部１１２−２の受信設定パラメータ収集部１１は光受信回路１１０−ｋのプリアンプ１０２の利得およびリミッタアンプ１０５のオフセット補償電圧を読み出し、テーブル作成部１４は、ＯＮＵのＩＤ（識別情報）に対応させてテーブル１５に登録する。
【００４９】
テーブル１５への登録は最初にＯＮＵをネットワークに接続するときに行う。また、線路状態の変化が予想される場合は適宜再登録を行う。波長毎の損失や感度のばらつきが小さい場合は単一波長だけで良いが、ばらつきが大きい場合は全ての波長に対して実施する必要がある。
Ｓ１０．ＯＮＵの送信制御部５０４−２は逆多重化回路５０１の送信バッファをモニタし、蓄積データ量を書き込んだ送信許可要求フレームを制御チャネル用インタフェース５０５を介してＯＬＴに送信する。
Ｓ１１．ＯＬＴの受信制御部１１２−２は制御チャネル用インタフェース１１４を介して送信許可要求フレームを受信する。
Ｓ１２．ＯＬＴの受信制御部１１２−２は送信許可要求フレームに書き込まれたＯＮＵの蓄積データ量と他のＯＮＵの波長使用状況とに基づき、帯域割当アルゴリズムを用いてＯＮＵに波長および送信開始時刻および送信継続時間を割当てる。
Ｓ１３．ＯＬＴの受信制御部１１２−２の受信設定調整部１２−２は、ＯＮＵのＩＤに対応する光受信回路１１０−ｋのプリアンプ１０２の利得およびリミッタアンプ１０５のオフセット補償電圧のパラメータをテーブル１５から読みだす。
Ｓ１４．ＯＬＴの受信制御部１１２−２の受信設定調整部１２−２は割当てられた光受信回路１１０−ｋのプリアンプ１０２の利得およびリミッタアンプ１０５のオフセット補償電圧を設定する。
Ｓ１５．ＯＬＴの受信制御部１１２−２は割当てた波長および送信開始時刻および送信継続時間を書き込んだ送信許可フレームを送信する。
Ｓ１６．ＯＮＵの送信制御部５０４−２は送信許可フレームを受信する。
Ｓ１７．ＯＮＵの送信制御部５０４−２は割当てられた波長に従って逆多重化回路５０１の送信レーンの設定を行い、上りデータ送信を開始する。データチャネル用光送信回路５０２−１〜５０２−ｍは、プリアンブル長調整部１０−２によってデータフレームにショートプリアンブルを付して送信する。
【００５０】
利得およびオフセット補償電圧最適化に必要な長さのプリアンブルが「通常の長さのプリアンブル」であるのに対し、利得およびオフセット補償電圧を予め設定しておいて純粋にＣＤＲの同期確立だけに必要な長さのプリアンブルを「ショートプリアンブル」とする。
【００５１】
第一実施例では、送信許可要求フレームを用いてプリアンプ１０２の利得およびリミッタアンプ１０５のオフセット補償電圧の設定を行ったのに対し、第二実施例では、テーブル１５を検索することによってこれらの設定を行っているため、送信許可要求フレームおよび送信許可フレームを別メディア（高速ディジタル専用線、ＩＳＤＮ、イーサネットなど）を用いて高速に送受信することができる。これにより、第一実施例と比べてさらに速やかにデータの送受信を開始することができる。
【産業上の利用可能性】
【００５２】
本発明は、ＰＯＮなどの光アクセスシステムにおいてスループットの改善に利用できる。
【図面の簡単な説明】
【００５３】
【図１】第一実施例のＯＬＴの光受信装置の構成図。
【図２】第一実施例のＯＮＵの光送信装置の構成図。
【図３】第一実施例のＯＬＴの光受信回路の構成図。
【図４】第一実施例の上りデータ送信の手順を示す図。
【図５】第二実施例のＯＬＴの光受信装置の構成図。
【図６】第二実施例のＯＮＵの光送信装置の構成図。
【図７】第二実施例の上りデータ送信の手順を示す図。
【図８】一般的なＰＯＮの構成図。
【図９】ＰＯＮにおけるＯＬＴの光受信回路の構成図。
【符号の説明】
【００５４】
１  ＯＬＴ
２  光ファイバ
３  光スプリッタ
４−１〜４−ｎ  光ファイバ
５−１〜５−ｎ  ＯＮＵ
１０−１、１０−２  プリアンブル長調整部
１１  受信設定パラメータ収集部
１２−１、１２−２  受信設定調整部
１３  試験フレーム送出制御部
１４  テーブル作成部
１５  テーブル
１０１  受光素子
１０２  プリアンプ
１０３、１０６  レベル検出回路
１０４  利得切替回路
１０５  リミッタアンプ
１０７  オフセット補償回路
１０８  クロック・データ・リカバリ回路
１０９  光分波器
１１０−１〜１１０−ｍ  光受信回路
１１１  多重化回路
１１２−１、１１２−２  受信制御部
１１３  受信制御部用インタフェース
１１４、５０５  制御チャネル用インタフェース
５０１  逆多重化回路
５０２−１〜５０２−ｍ  光送信回路
５０３  光合波器
５０４−１、５０４−２  送信制御部
【図１】
2008294531.tif 000003
【図２】
2008294531.tif 000004
【図３】
2008294531.tif 000005
【図４】
2008294531.tif 000006
【図５】
2008294531.tif 000007
【図６】
2008294531.tif 000008
【図７】
2008294531.tif 000009
【図８】
2008294531.tif 000010
【図９】
2008294531.tif 000011